(57)【要約】【課題】付与されている識別情報を開封操作とは関係なく単独で確認することができる衛生性に優れた紙製容器を提供する。【解決手段】延設パネル１を折り込んだ状態で左側面内側パネル２に左側面パネル６が接着されて角筒状の胴部が形成されるとともに、折り曲げたガイド板１５を挟んだ状態で上部閉鎖部が形成されており、左側面内側パネル２の上部に破断除去が可能な開口形成領域２ａが区画され、左側面パネル６にはその開口形成領域２ａの下側に位置する破断線により回動部分６ａが区画されるとともに、その回動部分６ａから離れたところにある破断線により隠蔽部分６ｂが区画されており、隠蔽部分６ｂで隠れる部位に識別情報が付与された状態とされ、左側面パネル６は隠蔽部分６ｂを除くところと左側面内側パネル２の開口形成領域２ａのところで左側面内側パネル２と接着されている。【選択図】図４
2014223928.tif 000002
【特許請求の範囲】
【請求項１】
板紙からなる１枚のブランクを組み立てて形成される直方体形状の紙製容器であって、延設パネル、左側面内側パネル、前面パネル、右側面パネル、背面パネル、左側面パネルがこの順で折線を介して連設され、左側面パネルの上辺にガイド板が折線を介して連設されており、延設パネルを折り込んだ状態で左側面内側パネルに左側面パネルが接着されて角筒状の胴部が形成されるとともに、折り曲げたガイド板を挟んだ状態で上部閉鎖部が形成されており、左側面内側パネルの上部に破断除去が可能な開口形成領域が区画され、左側面パネルにはその開口形成領域より下方に位置する破断線により回動部分が区画されるとともに、その回動部分から離れたところにある破断線により隠蔽部分が区画されており、隠蔽部分で隠れる部位に識別情報が付与された状態とされ、左側面パネルは隠蔽部分を除くところと左側面内側パネルの開口形成領域のところで左側面内側パネルと接着されていることを特徴とする紙製容器。
【発明の詳細な説明】
【技術分野】
【０００１】
本発明は、キャンペーン応募用や景品の当たりくじなどの識別情報を有する紙製容器に関するものである。
【背景技術】
【０００２】
近年、パソコンや携帯電話を始めとする各種電子機器の普及に伴い、商品宣伝の一手段として、内容物を収納する販売用の紙製容器に、バーコードやユニークナンバーなどの識別情報を付しておき、これをキャンペーンの応募手段や景品の当たりくじに利用したりすることが広く行われるようになってきている。
【０００３】
例えば、特許文献１には、キャンペーン応募用の情報データを有する二次元バーコードを付した紙製容器が記載されており、特許文献２には、懸賞応募用バーコードを付した段ボール箱、板紙箱などの包装容器が記載されている。
【０００４】
これらの紙製容器では、バーコード等の識別情報が外観からは見えないか或いは読み取れない箇所に付されており、開封して識別情報を露出させてから、カメラ付き携帯電話で読み取るなどしてキャンペーンや懸賞に応募するようになっている。
【先行技術文献】
【特許文献】
【０００５】
【特許文献１】特開２００７−１６１２９１号公報
【特許文献２】特開２００５−２９８０１８号公報
【発明の概要】
【発明が解決しようとする課題】
【０００６】
上記した従来の紙製容器は、付与されている識別情報を確認するためには開封する必要がある。したがって、食品を直詰めするタイプの紙製容器では、最初に識別情報を見てキャンペーンや懸賞に応募し、後から内容物を食するような場合に、バージン性を保てずに衛生上の問題を生じてしまう。
【０００７】
本発明は、このような問題に鑑みてなされたものであり、その目的とするところは、付与されている識別情報を開封操作とは関係なく単独で確認することができる衛生性に優れた紙製容器を提供することにある。
【課題を解決するための手段】
【０００８】
上記の目的を達成するため、本発明は、板紙からなる１枚のブランクを組み立てて形成される直方体形状の紙製容器であって、延設パネル、左側面内側パネル、前面パネル、右側面パネル、背面パネル、左側面パネルがこの順で折線を介して連設され、左側面パネルの上辺にガイド板が折線を介して連設されており、延設パネルを折り込んだ状態で左側面内側パネルに左側面パネルが接着されて角筒状の胴部が形成されるとともに、折り曲げたガイド板を挟んだ状態で上部閉鎖部が形成されており、左側面内側パネルの上部に破断除去が可能な開口形成領域が区画され、左側面パネルにはその開口形成領域より下方に位置する破断線により回動部分が区画されるとともに、その回動部分から離れたところにある破断線により隠蔽部分が区画されており、隠蔽部分で隠れる部位に識別情報が付与された状態とされ、左側面パネルは隠蔽部分を除くところと左側面内側パネルの開口形成領域のところで左側面内側パネルと接着されていることを特徴とする。
【発明の効果】
【０００９】
本発明の紙製容器は、左側面パネルの回動部分を起こすことにより、左側面内側パネルの開口形成領域を破断除去して内容物の取出し口を形成することができ、また、左側面パネルの隠蔽部分を破断して起こすことにより、隠れている識別情報を露出させてこれを見ることができる。このように、隠蔽部分を開ける操作は容器自体の開封操作とは別に行われるため、容器に付与されている識別情報を確認するのに商品を開封する必要はなく、容器のバージン性を保ったままでキャンペーン応募用や景品の当たりくじなどの識別情報を確認することができる。
【図面の簡単な説明】
【００１０】
【図１】本発明に係る紙製容器の一例を示す斜視図である。
【図２】図１の紙製容器を組み立てるブランクの展開図である。
【図３】図２のブランクをサック貼りした状態で示す平面図である。
【図４】図１の紙製容器をその隠蔽部分と回動部分とを起こした状態を示す斜視図である。
【発明を実施するための形態】
【００１１】
次に、本発明の実施形態について図面を参照しながら詳細に説明する。
【００１２】
図１は本発明に係る紙製容器の一例を示す斜視図であり、この紙製容器は図２にその展開図を示すブランクを組み立てて形成される。
【００１３】
このブランクは、所定の印刷を施した紙器用の板紙を打ち抜いたもので、図２に示されるように、上下方向に互いに平行な折線ａ，ｂ，ｃ，ｄ，ｅを介して、延設パネル１、左側面内側パネル２、前面パネル３、右側面パネル４、背面パネル５、左側面パネル６がこの順で連設されており、これらによって容器の胴部が形成されるようになっている。
【００１４】
また、前面パネル３の上下辺にそれぞれ折線ｆ，ｇを介して天面パネル７と底面パネル８が連設され、背面パネル５の上下辺にそれぞれ折線ｈ，ｉを介して天面内側パネル９と底面内側パネル１０が連設されており、さらに、右側面パネル４の上下辺にそれぞれ折線ｊ，ｋを介して折込み片１１，１２が連設されており、左側面内側パネル２の上辺に折線ｌを介して折込み片１３が連設され、左側面パネル６の下辺に折線を介して折込み片１４が連設され、左側面パネル６の上辺に折線ｎを介して斜辺が湾曲した三角状のガイド板１５が連設されている。
【００１５】
左側面内側パネル２は組立て時において左側面パネル６の内側に位置するが、その左側面内側パネル２には、図示のように、略コの字状をした破断線Ｌ1 により上部に開口形成領域２ａが区画されている。この例では、屈曲した２本の横方向の切込み線とそれらの端を連結する縦方向の切込み線とで略コの字状の破断線Ｌ1 を形成しており、２本の横方向の切込み線にはそれぞれ２箇所にツナギを残してあり、縦方向の切込み線は折線ｂと重なる位置に形成してある。
【００１６】
そして、左側面パネル６には、開口形成領域２ａより下方に位置する破断線Ｌ2 により、開口形成領域２ａを覆うサイズの回動部分６ａが区画されるとともに、その回動部分６ａから離れたところにある２本の破断線Ｌ3 ，Ｌ4 により所定の長さの隠蔽部分６ｂが区画されている。この例では、２箇所にツナギを残したＵ字状の切込み線で破断線Ｌ2 を形成しており、同じく２箇所にツナギを残した直線状の切込み線で破断線Ｌ3 ，Ｌ4 を形成してある。また、回動部分６ａは指掛かりを考慮して右側の端縁を少しだけ（例えば１ｍｍ程度）突き出した形状にしてあり、隠蔽部分６ｂも指掛かりを考慮して右側の端縁を僅かだけ（例えば０．５ｍｍ程度）突き出した形状にしてある。
【００１７】
図２のブランクは、多面付けで絵柄の印刷を施した大きな板紙から打ち抜かれることで所定枚数が形成されるが、本発明で用いるブランクは、左側面内側パネル２において左側面パネル６の隠蔽部分６ｂに対応する部位Ａ（斜線部分）に、キャンペーン応募用や当たりくじなどの識別情報が付与される。この識別情報は、オフセット印刷、グラビア印刷、フレキソ印刷、シルクスクリーン印刷などの印刷手段で印刷するか、インクジェットプリンターやレーザープリンターの印字手段で印付けすることで付与できる。
【００１８】
このように絵柄印刷が施され、さらに識別情報が付与されたブランクを箱形状にするに当たっては、まず、サック貼りして折り畳んだ状態にされる。すなわち、図２のブランクを折線ｂ，ｄのところで折り曲げ、左側面内側パネル２に左側面パネル６を貼り合わせることにより図３に示すような扁平状態とされる。このとき、左側面パネル６は隠蔽部分６ｂを除くところと左側面内側パネル２の開口形成領域２ａのところで左側面内側パネル２と接着する。このようにブランクをサック貼りした後、充填工程に送られて組立てと内容物の充填が行われる。
【００１９】
充填工程では、サック貼りされたブランクを折線ａ〜ｅで角筒状に起こし、上方の折込み片１１を折線ｊのところで内側に折り込むとともに、上方のもう一方の折込み片１３とガイド板１５とを重なったまま折線ｌ，ｎのところで内側に折り込んだ後、天面内側パネル９と天面パネル７をそれぞれ折線ｈ，ｆのところで順に折り曲げて互いに接着することで上部を閉鎖する。次いで、空いている下方側より内容物を充填してから、下方の折込み片１２，１４をそれぞれ折線ｋ，ｍのところで内側に折り込んだ後、底面内側パネル１０と底面パネル８をそれぞれ折線ｉ，ｇのところで順に折り曲げて互いに接着することで下部を閉鎖して紙製容器の組立てを完了する。なお、上部閉鎖部と下部閉鎖部を形成する順序は逆でもよい。
【００２０】
このように、図１の紙製容器を製造する手順は、従来のブランクに識別情報を印刷または印字する工程を増やすだけで、製造工程を大きく変えることなく製造できるため、余計なコストを掛ける必要がない。
【００２１】
図１の紙製容器はシュリンクフィルムで包んだ状態で販売される。そして、識別情報は左側面パネル６は隠蔽部分６ｂの下に隠れているので、消費者はシュリンクフィルムが付いた状態でもそれを剥がした状態でも識別情報を見ることができない。
【００２２】
図１の紙製容器は、図４に示すように、左側面パネル６の回動部分６ａを指先で起こすことにより、左側面内側パネル２の開口形成領域２ａを破断除去して内容物の取出し口を形成することができる。また、左側面パネル６の隠蔽部分６ｂを指先で起こすことにより、左側面内側パネル２に付与されている識別情報を見ることができる。なお、この隠蔽部分６ｂは必要に応じて切り取ってしまってもよい。
【００２３】
このように、左側面パネル６の隠蔽部分６ｂを開ける操作は容器自体の開封操作とは独立して行われるため、消費者が中身を取り出す前に一刻も早く識別情報を見たいというような場合、回動部分６ａを起こして取出し口を形成する必要がない。したがって、容器のバージン性を保ったままでキャンペーン応募用や景品の当たりくじなどの識別情報を確認することができる。
【００２４】
以上、本発明の実施の形態について、一つの例を挙げて詳細に説明してきたが、本発明による紙製容器は、上記実施の形態に何ら限定されるものではなく、本発明の趣旨を逸脱しない範囲において種々の変更が可能であることは当然のことである。
【００２５】
例えば、上記の例では、左側面内側パネル２において左側面パネル６の隠蔽部分６ｂに対応する部位Ａに識別情報を付与したが、左側面パネル６の隠蔽部分６ｂの裏側に識別情報を付与するようにしても構わないし、両方に付与することも可能である。
【００２６】
また、上記の例では、左側面パネル６に隠蔽部分６ｂを区画するための２本の破断線Ｌ3 ，Ｌ4 をそれぞれ２箇所にツナギを残した切込み線で形成したが、ツナギの数は２箇所に限定されるものではない。また、必要に応じて、これらの破断線Ｌ3 ，Ｌ4 は、ミシン目、ハーフカットで形成するようにしてもよい。これら構成の変更は破断線Ｌ1 ，Ｌ2 についても同様である。
【００２７】
また、上記の例では、左側面パネル６の隠蔽部分６ｂの指掛かりを良くするために端縁を僅かに突き出した形状としたが、折線ｂの指先が当たる部分に紡錘形状の折罫を形成しておき、折り曲げた時に角に凹みを形成するようにしてもよい。
【００２８】
また、上記の例では、上部閉鎖部と下部閉鎖部をともにシールエンド形式としたが、これらの閉鎖部に差込みベロ形式（タッチエンド形式）やロックサック形式を適宜採用してもよい。
【産業上の利用可能性】
【００２９】
本発明の紙製容器は、板紙を用いて形成されるもので、グミ、キャンデー、糖衣チョコ、ガム等の菓子類を直詰めして販売する際に使用するのが好適であるが、その他の粒状物品を収納するのに使用することももちろん可能である。
【符号の説明】
【００３０】
１  延設パネル
２  左側面内側パネル
２ａ  開口形成領域
３  前面パネル
４  右側面パネル
５  背面パネル
６  左側面パネル
６ａ  回動部分
６ｂ  隠蔽部分
７  天面パネル
８  底面パネル
９  天面内側パネル
１０  底面内側パネル
１１，１２  折込み片
１３，１４  折込み片
１５  ガイド板
ａ〜ｎ  折線
Ｌ1 ，Ｌ2 ，Ｌ3 ，Ｌ4   破断線
【図１】
2014223928.tif 000003
【図２】
2014223928.tif 000004
【図３】
2014223928.tif 000005
【図４】
2014223928.tif 000006